(57)【要約】【課題】特殊な消費材で印刷される画像が、背景となる画像に対して視認性を上げたプレビュー表示を可能とする情報処理装置、画像形成装置、画像処理システムおよびプログラムを提供する。【解決手段】印刷データに基づいてプレビュー表示を行う情報処理装置であって、特殊な消費材での描画情報を含む印刷データに基づいて、プレビュー表示するためのプレビュー画像を生成する生成部と、入力部への操作入力に応じて、プレビュー画像のうち特殊な消費材で描画される第１画像の色の設定を行う設定部と、を備え、生成部は、設定部により色の設定がされた第１画像を、第１画像以外の画像に重畳させてプレビュー画像を再生成する。【選択図】図５
2020082585.tif 000002
【特許請求の範囲】
【請求項１】
印刷データに基づいてプレビュー表示を行う情報処理装置であって、
特殊な消費材での描画情報を含む前記印刷データに基づいて、プレビュー表示するためのプレビュー画像を生成する生成部と、
入力部への操作入力に応じて、前記プレビュー画像のうち前記特殊な消費材で描画される第１画像の色の設定を行う設定部と、
を備え、
前記生成部は、前記設定部により色の設定がされた前記第１画像を、該第１画像以外の画像に重畳させてプレビュー画像を再生成する情報処理装置。
【請求項２】
前記設定部は、前記入力部の操作入力に応じて、前記第１画像の色の種類および濃度の設定を行う請求項１に記載の情報処理装置。
【請求項３】
前記設定部は、前記入力部の操作入力に応じて、前記プレビュー画像における前記第１画像以外の第２画像の色の設定を行い、
前記生成部は、前記設定部により色の設定がされた前記第２画像に、前記第１画像を重畳させてプレビュー画像を再生成する請求項１または２に記載の情報処理装置。
【請求項４】
前記プレビュー画像に関連付けて予め設定された第１認証情報と、前記入力部を介して入力された第２認証情報とを照合する照合部と、
前記照合部による照合の結果、前記第１認証情報と前記第２認証情報とが一致する場合、前記第１画像を含む前記プレビュー画像を表示部に表示させる表示制御部と、
をさらに備えた請求項１〜３のいずれか一項に記載の情報処理装置。
【請求項５】
前記プレビュー画像を、前記第１認証情報と関連付ける関連付け情報に登録する登録部を、さらに備えた請求項４に記載の情報処理装置。
【請求項６】
前記入力部への前記第１画像の表示を要求する操作入力に応じて、前記関連付け情報で前記第１画像を含む前記プレビュー画像に関連付けられた前記第１認証情報が存在するか否かを判定する判定部を、さらに備え、
前記照合部は、前記判定部により存在すると判定された前記第１認証情報と、前記第２認証情報とを照合する請求項５に記載の情報処理装置。
【請求項７】
前記特殊な消費材は、不可視な消費材である請求項１〜６のいずれか一項に記載の情報処理装置。
【請求項８】
前記不可視な消費材は、ＩＲ（Ｉｎｆｒａｒｅｄ）トナーである請求項７に記載の情報処理装置。
【請求項９】
特殊な消費材での描画情報を含む印刷データに基づいて、プレビュー表示するためのプレビュー画像を生成する生成部と、
入力部への操作入力に応じて、前記プレビュー画像のうち前記特殊な消費材で描画される第１画像の色の設定を行う設定部と、
を備え、
前記生成部は、前記設定部により色の設定がされた前記第１画像を、該第１画像以外の画像に重畳させてプレビュー画像を再生成する画像形成装置。
【請求項１０】
情報処理装置と、画像形成装置とを含む画像処理システムであって、
前記画像形成装置は、
特殊な消費材での描画情報を含む印刷データに基づいて、プレビュー表示するためのプレビュー画像を生成する生成部と、
入力部への操作入力に応じて、前記プレビュー画像のうち前記特殊な消費材で描画される第１画像の色の設定を行う設定部と、
を備え、
前記生成部は、前記設定部により色の設定がされた前記第１画像を、該第１画像以外の画像に重畳させてプレビュー画像を再生成し、
前記情報処理装置は、
前記生成部により生成されたプレビュー画像を取得する取得部と、
前記取得部により取得されたプレビュー画像を表示部に表示させる表示制御部と、
を備えた画像処理システム。
【請求項１１】
コンピュータに、
特殊な消費材での描画情報を含む印刷データに基づいて、プレビュー表示するためのプレビュー画像を生成する生成ステップと、
入力部への操作入力に応じて、前記プレビュー画像のうち前記特殊な消費材で描画される特殊画像の色の設定を行う設定ステップと、
色の設定をした前記特殊画像を、該特殊画像以外の画像に重畳させてプレビュー画像を再生成する再生成ステップと、
を実行させるためのプログラム。
【発明の詳細な説明】
【技術分野】
【０００１】
本発明は、情報処理装置、画像形成装置、画像処理システムおよびプログラムに関する。
【背景技術】
【０００２】
近年、カラーのインク、トナーおよびリボン等を用いて印刷媒体に印刷を行うことの他に、可視光線を透過し、赤外線を吸収するＩＲ（Ｉｎｆｒａｒｅｄ）トナーと称する特殊な消費材を用いて印刷する技術が知られている。具体的には、ＩＲトナーは、赤外光の波長領域に吸収性を有し、可視光の波長領域の吸収性が赤外光の波長領域の吸収性よりも少ないトナーである。ＩＲトナーによる印刷は、印刷媒体に印刷されても原則として人間の目では視認できないという性質を有することから、物流における物品に取り付けるタグの識別コード（例えば、ＱＲコード（登録商標）等）の印刷、店に陳列された商品のタグへの印刷、または、社員証等に特殊な情報の印刷する等の用途が想定される。このうち、例えば、社員証等に特殊な情報を印刷することによって、社員証の原本性を確保するという目的で使用される。ＩＲトナーで印刷された画像は、原則として人間の目で視認することができず、可視光線を透過することから、通常のコピー機でコピーすることはできない。印刷媒体に印刷されたＩＲトナーによる画像は、赤外線カメラ等の特殊な読み取り装置によって読み取ることが可能である。
【０００３】
カラーのトナー等以外の特殊な消費材としては、上述のＩＲトナーの他、近赤外線の照射による消色する消色トナー、または、紫外線の照射により硬化するＵＶ（Ｕｌｔｒａｖｉｏｌｅｔ）インク等がある。このような特殊な消費材については、印刷する前にプレビュー表示することにより、事前にどのように印刷されるかを確認したいという要請がある。
【０００４】
このような、特殊な消費材を用いた画像形成装置として、消色トナーを用いた印刷をする際に、消色トナーの消去前、消去後の状態を印刷前に確認することができる装置が開示されている（特許文献１参照）。
【発明の概要】
【発明が解決しようとする課題】
【０００５】
しかしながら、特許文献１に記載された技術では、プレビュー時の背景色または通常のトナー画像と、消色トナー画像とが重なっている場合に、どのようにプレビューを表示させるのかについては開示されていないという問題点がある。また、通常トナーにより印刷される画像と、ＩＲトナーにより印刷される画像とが重なっている場合のプレビュー表示、または、背景色によってはＩＲトナーにより印刷される画像のプレビュー表示を行う場合、ＩＲトナーの画像の視認性が悪くなるという問題点がある。
【０００６】
本発明は、上記に鑑みてなされたものであって、特殊な消費材で印刷される画像が、背景となる画像に対して視認性を上げたプレビュー表示を可能とする情報処理装置、画像形成装置、画像処理システムおよびプログラムを提供することを目的とする。
【課題を解決するための手段】
【０００７】
上述した課題を解決し、目的を達成するために、印刷データに基づいてプレビュー表示を行う情報処理装置であって、特殊な消費材での描画情報を含む前記印刷データに基づいて、プレビュー表示するためのプレビュー画像を生成する生成部と、入力部への操作入力に応じて、前記プレビュー画像のうち前記特殊な消費材で描画される第１画像の色の設定を行う設定部と、を備え、前記生成部は、前記設定部により色の設定がされた前記第１画像を、該第１画像以外の画像に重畳させてプレビュー画像を再生成することを特徴とする。
【発明の効果】
【０００８】
本発明によれば、特殊な消費材で印刷される画像が、背景となる画像に対して視認性を上げたプレビュー表示を可能とする。
【図面の簡単な説明】
【０００９】
【図１】図１は、実施形態に係る画像処理システムの全体構成の一例を示す図である。
【図２】図２は、実施形態に係るＰＣのハードウェア構成の一例を示す図である。
【図３】図３は、実施形態に係る画像形成装置のハードウェア構成の一例を示す図である。
【図４】図４は、実施形態に係るＰＣのソフトウェア構成の一例を示す図である。
【図５】図５は、実施形態に係る画像処理システムの機能ブロック構成の一例を示す図である。
【図６】図６は、実施形態に係る画像処理システムでの通常の印刷処理の一例を示すフローチャートである。
【図７】図７は、実施形態に係るＰＣのプレビュー画面の一例を示す図である。
【図８】図８は、実施形態に係る画像処理システムでのパスワード設定・プレビュー画像登録処理の一例を示すフローチャートである。
【図９】図９は、画像管理テーブルの一例を示す図である。
【図１０】図１０は、実施形態に係る画像形成装置でのプレビュー表示処理の一例を示すフローチャートである。
【図１１】図１１は、実施形態に係る画像形成装置のプレビュー対象のファイルの選択画面の一例を示す図である。
【図１２】図１２は、実施形態に係る画像形成装置のプレビュー画面の一例を示す図である。
【図１３】図１３は、実施形態に係る画像形成装置のプレビュー画面の一例を示す図である。
【図１４】図１４は、実施形態に係る画像形成装置でのプレビュー画像編集処理の一例を示すフローチャートである。
【図１５】図１５は、実施形態に係る画像形成装置のＩＲ調整画面の一例を示す図である。
【図１６】図１６は、実施形態に係る画像形成装置のＩＲ色設定画面の一例を示す図である。
【発明を実施するための形態】
【００１０】
以下に、図面を参照しながら、本発明に係る情報処理装置、画像形成装置、画像処理システムおよびプログラムの実施形態を詳細に説明する。また、以下の実施形態によって本発明が限定されるものではなく、以下の実施形態における構成要素には、当業者が容易に想到できるもの、実質的に同一のもの、およびいわゆる均等の範囲のものが含まれる。さらに、以下の実施形態の要旨を逸脱しない範囲で構成要素の種々の省略、置換、変更および組み合わせを行うことができる。
【００１１】
（画像処理システムの全体構成）
図１は、実施形態に係る画像処理システムの全体構成の一例を示す図である。図１を参照しながら、本実施形態に係る画像処理システム１の全体構成について説明する。
【００１２】
図１に示すように、画像処理システム１は、ＰＣ（Ｐｅｒｓｏｎａｌ  Ｃｏｍｐｕｔｅｒ）１０ａ、１０ｂと、画像形成装置２０と、を含む。ＰＣ１０ａ、１０ｂおよび画像形成装置２０は、それぞれネットワークＮを介して、互いに通信可能となっている。
【００１３】
なお、図１において、画像処理システム１は、２台のＰＣ１０ａ、１０ｂを含むものとしているが、これに限定されるものではなく、ＰＣは１台以上であればよい。また、ＰＣ１０ａ、１０ｂについて、任意のＰＣを示す場合、または総称する場合、単に「ＰＣ１０」と称するものとする。また、ＰＣ１０および画像形成装置２０は、それぞれ情報処理装置の一例であり、ＰＣ１０は、スマートフォン、タブレット端末、またはワークステーション等の異なる情報処理装置であってもよい。
【００１４】
ＰＣ１０は、アプリケーションにより作成された原稿データから印刷データを生成し、ネットワークＮを介して画像形成装置２０へ、印刷データをジョブとして送信する情報処理装置の一例である。また、ＰＣ１０は、印刷データの画像形成装置２０での印刷状態を予め確認するためのプレビュー表示機能を有する。また、ＰＣ１０は、ＩＲトナー等の特殊な消費材で描画するための印刷データを作成する機能を有する。ここで、ＩＲトナー等の特殊な消費材は、人間に対して不可視な消費材であるものする。したって、不可視な消費材としては、その他、ＵＶトナー等を用いるものとしてもよい。ただし、以下では、特殊な消費材がＩＲトナーであるものとして説明する。なお、不可視とは、完全に人間が見えない状態のみならず、当該消費材が印刷された場合にうっすらと見ることができるものの何が印刷されているのかは視認できない状態を含む。したがって、例えば、ＩＲトナーによる画像は、通常のカラートナーによる画像に対して重畳させて印刷することにより、ＩＲトナーによる画像がうっすらと見えることを抑制することができる。
【００１５】
画像形成装置２０は、ＰＣ１０からネットワークＮを介して印刷データを受信し、当該印刷データを印刷出力（画像形成）する情報処理装置の一例である。また、画像形成装置２０は、印刷データに基づき、ＩＲトナー等の特殊な消費材で印刷することが可能であるものとする。
【００１６】
なお、画像形成装置２０は、印刷機能を有するプリンタ等であればよく、トナー印刷によるレーザプリンタ、インク印刷によるインクジェットプリンタ、またはリボン印刷による印刷機器のいずれであってもよい。以下では、画像形成装置２０は、コピー機能、プリンタ機能、スキャナ機能、およびファクシミリ機能のうち少なくとも２つの機能を有するトナー印刷による複合機（ＭＦＰ：Ｍｕｌｔｉｆｕｎｃｔｉｏｎ  Ｐｅｒｉｐｈｅｒａｌ）であるものとして説明する。また、上述のＰＣ１０と同様に、画像形成装置２０で印刷可能な特殊な消費材がＩＲトナーであるものとして説明する。
【００１７】
ネットワークＮは、例えば、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、専用回線、またはインターネット等のネットワークである。ネットワークＮは、例えば、ＴＣＰ（Ｔｒａｎｓｍｉｓｓｉｏｎ  Ｃｏｎｔｒｏｌ  Ｐｒｏｔｏｃｏｌ）／ＩＰ（Ｉｎｔｅｒｎｅｔ  Ｐｒｏｔｏｃｏｌ）等の通信プロトコルでデータ通信が行われる。また、ネットワークＮは、有線または無線のネットワークのいずれを含んでいてもよい。
【００１８】
（ＰＣのハードウェア構成）
図２は、実施形態に係るＰＣのハードウェア構成の一例を示す図である。図２を参照しながら、本実施形態に係るＰＣ１０のハードウェア構成について説明する。
【００１９】
図２に示すように、ＰＣ１０は、ＣＰＵ（Ｃｅｎｔｒａｌ  Ｐｒｏｃｅｓｓｉｎｇ  Ｕｎｉｔ）１０１と、ＲＯＭ（Ｒｅａｄ  Ｏｎｌｙ  Ｍｅｍｏｒｙ）１０２と、ＲＡＭ（Ｒａｎｄｏｍ  Ａｃｃｅｓｓ  Ｍｅｍｏｒｙ）１０３と、通信Ｉ／Ｆ（Ｉｎｔｅｒｆａｃｅ）１０４と、入出力Ｉ／Ｆ１０５と、入力装置１０６と、表示装置１０７と、補助記憶装置１０８と、を備えている。
【００２０】
ＣＰＵ１０１は、ＰＣ１０全体の動作を制御する演算装置である。ＲＯＭ１０２は、ＰＣ１０用のファームウェア等のプログラムを記憶している不揮発性記憶装置である。ＲＡＭ１０３は、ＣＰＵ１０１のワークエリアとして使用される揮発性記憶装置である。
【００２１】
通信Ｉ／Ｆ１０４は、ネットワークＮ等を介してデータを通信するためのＮＩＣ（Ｎｅｔｗｏｒｋ  Ｉｎｔｅｒｆａｃｅ  Ｃａｒｄ）等のインターフェースである。通信Ｉ／Ｆ１０４は、例えば、ＴＣＰ／ＩＰ等の通信プロトコルでデータ通信を行う。
【００２２】
入出力Ｉ／Ｆ１０５は、各種装置（例えば、入力装置１０６および表示装置１０７）とバス１０９とを接続するためのインターフェースである。
【００２３】
入力装置１０６は、文字および数字等の入力、各種指示の選択、ならびにカーソルの移動等の操作を行うためのマウスまたはキーボード等の入力装置である。
【００２４】
表示装置１０７は、カーソル、メニュー、ウィンドウ、文字または画像等の各種情報を表示するＬＣＤ（Ｌｉｑｕｉｄ  Ｃｒｙｓｔａｌ  Ｄｉｓｐｌａｙ）、プラズマディスプレイ、または有機ＥＬ（Ｅｌｅｃｔｒｏ−Ｌｕｍｉｎｅｓｃｅｎｃｅ）ディスプレイ等の表示装置である。
【００２５】
補助記憶装置１０８は、ＯＳ（Ｏｐｅｒａｔｉｎｇ  Ｓｙｓｔｅｍ）、アプリケーションプログラム、プリンタドライバ、および各種データを記憶するＨＤＤ（Ｈａｒｄ  Ｄｉｓｋ  Ｄｒｉｖｅ）またはＳＳＤ（Ｓｏｌｉｄ  Ｓｔａｔｅ  Ｄｒｉｖｅ）等の記憶装置である。
【００２６】
上述のＣＰＵ１０１、ＲＯＭ１０２、ＲＡＭ１０３、通信Ｉ／Ｆ１０４、入出力Ｉ／Ｆ１０５および補助記憶装置１０８は、アドレスバスおよびデータバス等のバス１０９によって互いに通信可能に接続されている。
【００２７】
なお、図２に示したＰＣ１０のハードウェア構成の一例を示すものであり、図２に示した構成要素をすべて含む必要はなく、その他の構成要素を含むものとしてもよい。
【００２８】
（画像形成装置のハードウェア構成）
図３は、実施形態に係る画像形成装置のハードウェア構成の一例を示す図である。図３を参照しながら、本実施形態に係る画像形成装置２０のハードウェア構成について説明する。
【００２９】
図３に示すように、本実施形態に係る画像形成装置２０は、コントローラ２００と、操作表示部２１０と、ＦＣＵ（Ｆａｃｓｉｍｉｌｅ  Ｃｏｎｔｒｏｌ  Ｕｎｉｔ）２２０と、プロッタ２３１と、スキャナ２３２と、とがＰＣＩ（Ｐｅｒｉｐｈｅｒａｌ  Ｃｏｍｐｏｎｅｎｔ  Ｉｎｔｅｒｆａｃｅ）バスで接続された構成となっている。
【００３０】
コントローラ２００は、画像形成装置２０全体の制御、描画、通信、各種エンジンの制御および操作表示部２１０からの入力を制御する装置である。
【００３１】
操作表示部２１０は、例えば、タッチパネル等であり、コントローラ２００に対する入力を受け付ける（入力機能）と共に、画像形成装置２０の状態等を表示（表示機能）する装置であり、後述するＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）２０６に直接接続されている。
【００３２】
ＦＣＵ２２０は、ファックス機能を実現する装置であり、例えば、ＰＣＩバスによってＡＳＩＣ２０６に接続されている。
【００３３】
プロッタ２３１は、印刷機能を実現する装置であり、例えば、ＰＣＩバスによってＡＳＩＣ２０６に接続されている。スキャナ２３２は、スキャナ機能を実現する機能であり、例えば、ＰＣＩバスによってＡＳＩＣ２０６に接続されている。
【００３４】
コントローラ２００は、ＣＰＵ２０１と、システムメモリ（ＭＥＭ−Ｐ）２０２と、ノースブリッジ（ＮＢ）２０３と、サウスブリッジ（ＳＢ）２０４ａと、ネットワークＩ／Ｆ２０４ｂと、ＵＳＢ（Ｕｎｉｖｅｒｓａｌ  Ｓｅｒｉａｌ  Ｂｕｓ）  Ｉ／Ｆ２０４ｃと、セントロニクスＩ／Ｆ２０４ｄと、ＡＳＩＣ２０６と、ローカルメモリ（ＭＥＭ−Ｃ）２０７と、補助記憶装置２０８と、を有している。
【００３５】
ＣＰＵ２０１は、画像形成装置２０の全体制御を行うものであり、システムメモリ２０２、ノースブリッジ２０３およびサウスブリッジ２０４ａからなるチップセットに接続され、このチップセットを介して他の機器と接続される。
【００３６】
システムメモリ２０２は、プログラムおよびデータの格納用メモリ、プログラムおよびデータの展開用メモリ、ならびにプリンタの描画用メモリ等として用いるメモリであり、ＲＯＭとＲＡＭとを有している。このうち、ＲＯＭは、プログラムおよびデータの格納用メモリとして用いる読み出し専用のメモリであり、ＲＡＭは、プログラムおよびデータの展開用メモリ、ならびにプリンタの描画用メモリ等として用いる書き込みおよび読み出し可能なメモリである。
【００３７】
ノースブリッジ２０３は、ＣＰＵ２０１と、システムメモリ２０２、サウスブリッジ２０４ａおよびＡＧＰ（Ａｃｃｅｌｅｒａｔｅｄ  Ｇｒａｐｈｉｃｓ  Ｐｏｒｔ）バス２０５とを接続するためのブリッジであり、システムメモリ２０２に対する読み書き等を制御するメモリコントローラと、ＰＣＩマスタおよびＡＧＰターゲットとを有する。
【００３８】
サウスブリッジ２０４ａは、ノースブリッジ２０３と、ＰＣＩデバイスおよび周辺デバイスとを接続するためのブリッジである。サウスブリッジ２０４ａは、ＰＣＩバスを介してノースブリッジ２０３と接続されており、ＰＣＩバスには、ネットワークＩ／Ｆ２０４ｂ、ＵＳＢ  Ｉ／Ｆ２０４ｃおよびセントロニクスＩ／Ｆ２０４ｄ等が接続されている。
【００３９】
ＡＧＰバス２０５は、グラフィック処理を高速化するために提案されたグラフィックスアクセラレータカード用のバスインターフェースである。ＡＧＰバス２０５は、システムメモリ２０２に高スループットで直接アクセスすることにより、グラフィックスアクセラレータカードを高速にするバスである。
【００４０】
ＡＳＩＣ２０６は、画像処理用のハードウェア要素を有する画像処理用途向けのＩＣ（Ｉｎｔｅｇｒａｔｅｄ  Ｃｉｒｃｕｉｔ）であり、ＡＧＰバス２０５、ＰＣＩバス、補助記憶装置２０８およびローカルメモリ２０７をそれぞれ接続するブリッジの役割を有する。ＡＳＩＣ２０６は、ＰＣＩターゲットおよびＡＧＰマスタと、ＡＳＩＣ２０６の中核をなすアービタ（ＡＲＢ）と、ローカルメモリ２０７を制御するメモリコントローラと、ハードウェアロジック等により画像データの回転等を行う複数のＤＭＡＣ（Ｄｉｒｅｃｔ  Ｍｅｍｏｒｙ  Ａｃｃｅｓｓ  Ｃｏｎｔｒｏｌｌｅｒ）と、プロッタ２３１およびスキャナ２３２との間でＰＣＩバスを介したデータ転送を行うＰＣＩユニットとから構成される。ＡＳＩＣ２０６には、例えば、ＰＣＩバスを介してＦＣＵ２２０、プロッタ２３１およびスキャナ２３２が接続される。また、ＡＳＩＣ２０６は、図示しないホストＰＣおよびネットワーク等にも接続されている。
【００４１】
ローカルメモリ２０７は、コピー用画像バッファおよび符号バッファとして用いるメモリである。
【００４２】
補助記憶装置２０８は、ＨＤＤ、ＳＳＤ、ＳＤ（Ｓｅｃｕｒｅ  Ｄｉｇｉｔａｌ）カードまたはフラッシュメモリ等の記憶装置であり、画像データの蓄積、プログラムの蓄積、フォントデータの蓄積、およびフォームの蓄積等を行うためのストレージである。
【００４３】
なお、図３に示す画像形成装置２０のハードウェア構成は、一例であり、すべての構成機器を備えている必要はなく、また、他の構成機器を備えているものとしてもよい。
【００４４】
（ＰＣのソフトウェア構成）
図４は、実施形態に係るＰＣのソフトウェア構成の一例を示す図である。図４を参照しながら、本実施形態に係るＰＣ１０のソフトウェア構成について説明する。
【００４５】
図４に示すように、ＰＣ１０は、アプリケーション１５１と、プリンタドライバ１５２と、プレビューアプリケーション１５３と、がインストールされている。
【００４６】
アプリケーション１５１は、印刷対象となる画像等を含むデータを作成するソフトウェアである。
【００４７】
プリンタドライバ１５２は、アプリケーション１５１により作成された印刷対象となるデータから、画像形成装置２０へジョブとして送るための印刷データを生成するソフトウェアである。
【００４８】
プレビューアプリケーション１５３は、プリンタドライバ１５２により生成された印刷データから、画像形成装置２０での印刷状態を予め確認するためのプレビュー表示を行うソフトウェアである。
【００４９】
なお、プリンタドライバ１５２およびプレビューアプリケーション１５３は、別個のソフトウェアである必要はなく、１つのソフトウェアとして構成されているものとしてもよい。
【００５０】
（画像処理システムの機能ブロック構成）
図５は、実施形態に係る画像処理システムの機能ブロック構成の一例を示す図である。図５を参照しながら、本実施形態に係る画像処理システム１の機能ブロックの構成について説明する。
【００５１】
＜ＰＣの機能ブロック構成＞
図５に示すように、本実施形態に係る画像処理システム１のＰＣ１０は、通信部３０１と、パスワード設定部３０２と、画像生成部３０３と、記憶部３１１と、入力部３１２と、表示制御部３１３と、表示部３１４と、を有する。
【００５２】
通信部３０１は、ネットワークＮを介して、画像形成装置２０とデータ通信を行う機能部である。通信部３０１は、例えば、図２に示す通信Ｉ／Ｆ１０４、およびＣＰＵ１０１で実行されるプログラム（プリンタドライバ１５２またはプレビューアプリケーション１５３）によって実現される。
【００５３】
パスワード設定部３０２は、画像形成装置２０での印刷対象となる印刷データのプレビュー画面（後述する、図７に示すプレビュー画面１０００等）において、当該印刷データにＩＲトナーによる描画情報が含まれる場合に、当該ＩＲトナーによる描画情報に基づく画像をプレビューで表示させるための認証情報としてのＩＤおよびパスワードを設定する機能部である。パスワード設定部３０２は、図２に示すＣＰＵ１０１で実行されるプログラム（プリンタドライバ１５２またはプレビューアプリケーション１５３）によって実現される。
【００５４】
画像生成部３０３は、印刷データから、プレビュー画面（後述する、図７に示すプレビュー画面１０００等）で画像形成装置２０での印刷状態を予め確認するためのプレビュー画像を生成する機能部である。画像生成部３０３は、図２に示すＣＰＵ１０１で実行されるプログラム（プリンタドライバ１５２またはプレビューアプリケーション１５３）によって実現される。
【００５５】
記憶部３１１は、原稿データ、印刷データおよびその他の情報を記憶する機能部である。記憶部３１１は、図２に示す補助記憶装置１０８またはＲＡＭ１０３のうち少なくともいずれかによって実現される。
【００５６】
入力部３１２は、ユーザが文字および数字等の入力、各種指示の選択、ならびにカーソルの移動等の操作入力を行う機能部である。入力部３１２は、図２に示す入力装置１０６によって実現される。
【００５７】
表示制御部３１３は、表示部３１４の表示動作を制御する機能部である。表示制御部３１３は、例えば、図２に示すＣＰＵ１０１で実行されるプログラム（プリンタドライバ１５２またはプレビューアプリケーション１５３）によって実現される。
【００５８】
表示部３１４は、表示制御部３１３の制御に従って、カーソル、メニュー、文字、画像（プレビュー画像等）または各種画面等の各種情報を表示する機能部である。表示部３１４は、図２に示す表示装置１０７によって実現される。
【００５９】
なお、図５に示すＰＣ１０の通信部３０１、パスワード設定部３０２、画像生成部３０３、記憶部３１１、入力部３１２、表示制御部３１３および表示部３１４は、機能を概念的に示したものであって、このような構成に限定されるものではない。例えば、図５に示すＰＣ１０で独立した機能部として図示した複数の機能部を、１つの機能部として構成してもよい。一方、図５に示すＰＣ１０で１つの機能部が有する機能を複数に分割し、複数の機能部として構成するものとしてもよい。
【００６０】
また、パスワード設定部３０２、画像生成部３０３および表示制御部３１３の一部または全部は、ソフトウェアであるプログラムではなく、ＦＰＧＡ（Ｆｉｅｌｄ−Ｐｒｏｇｒａｍｍａｂｌｅ  Ｇａｔｅ  Ａｒｒａｙ）またはＡＳＩＣ等のハードウェア回路によって実現されてもよい。
【００６１】
＜画像形成装置の機能ブロック構成＞
図５に示すように、本実施形態に係る画像処理システム１の画像形成装置２０は、通信部４０１と、第１取得部４０２と、画像設定部４０３（設定部）と、画像生成部４０４（生成部の一例）と、登録部４０５と、第２取得部４０６と、判定部４０７と、照合部４０８と、画像形成部４０９と、記憶部４１１と、入力部４１２と、表示制御部４１３と、表示部４１４と、を有する。
【００６２】
通信部４０１は、ネットワークＮを介して、ＰＣ１０とデータ通信を行う機能部である。通信部４０１は、例えば、図３に示すネットワークＩ／Ｆ２０４ｂ、およびＣＰＵ２０１で実行されるプログラムによって実現される。
【００６３】
第１取得部４０２は、ＰＣ１０で設定された、ＩＲトナーによる描画情報に基づく画像をプレビューで表示させるためのＩＤおよびパスワード、ならびに印刷データを、通信部４０１を介して取得する機能部である。第１取得部４０２は、図３に示すＣＰＵ２０１で実行されるプログラムによって実現される。
【００６４】
画像設定部４０３は、表示部４１４に表示されるプレビュー画面（後述する、図１３に示すプレビュー画面１６００等）でのカラー画像、およびＩＲトナーで描画される画像（以下、単に、ＩＲ画像と称する場合がある）の色および濃度等の調整設定をする機能部である。画像設定部４０３は、図３に示すＣＰＵ２０１で実行されるプログラムによって実現される。
【００６５】
画像生成部４０４は、第１取得部４０２により取得された印刷データから、後述するプレビュー画面１６００にてプレビュー表示するためのプレビュー画像を生成する機能部である。画像生成部４０４は、図３に示すＣＰＵ２０１で実行されるプログラムによって実現される。
【００６６】
登録部４０５は、第１取得部４０２により取得されたＩＤおよびパスワードと、ならびに画像生成部４０４により生成されたプレビュー画像とを関連付けて、記憶部４１１に記憶されたテーブル（後述する、図９に示す画像管理テーブル２００１）に登録する機能部である。登録部４０５は、図３に示すＣＰＵ２０１で実行されるプログラムによって実現される。
【００６７】
第２取得部４０６は、ユーザにより入力部４１２から選択操作されたジョブに対応するプレビュー画像を、記憶部４１１から取得する機能部である。第２取得部４０６は、図３に示すＣＰＵ２０１で実行されるプログラムによって実現される。
【００６８】
判定部４０７は、後述する画像管理テーブル２００１を参照し、第２取得部４０６により取得されたプレビュー画像に対応するＩＤおよびパスワードが存在するか否かを判定する機能部である。判定部４０７は、図３に示すＣＰＵ２０１で実行されるプログラムによって実現される。
【００６９】
照合部４０８は、後述するプレビュー画面１６００にてユーザにより入力されたＩＤおよびパスワードと、第２取得部４０６により取得されたプレビュー画像に対応するＩＤおよびパスワードとを照合する機能部である。照合部４０８は、図３に示すＣＰＵ２０１で実行されるプログラムによって実現される。
【００７０】
画像形成部４０９は、第１取得部４０２により取得された印刷データを印刷出力する機能部である。画像形成部４０９は、図３に示すプロッタ２３１、およびＣＰＵ２０１で実行されるプログラムによって実現される。
【００７１】
記憶部４１１は、印刷データ、プレビュー画像、および後述する画像管理テーブル２００１等を記憶する機能部である。記憶部４１１は、図３に示す補助記憶装置２０８、システムメモリ２０２またはローカルメモリ２０７のうち少なくともいずれかによって実現される。
【００７２】
入力部４１２は、ユーザが文字および数字等の入力、ならびに各種指示の選択等の操作入力を行う機能部である。入力部４１２は、例えば、図３に示す操作表示部２１０の入力機能によって実現される。
【００７３】
表示制御部４１３は、表示部４１４の表示動作を制御する機能部である。表示制御部４１３は、図３に示すＣＰＵ２０１で実行されるプログラムによって実現される。
【００７４】
表示部４１４は、表示制御部４１３の制御に従って、文字、画像（プレビュー画像等）または各種画面等の各種情報を表示する機能部である。表示部４１４は、図３に示す操作表示部２１０の表示機能によって実現される。
【００７５】
なお、図５に示す画像形成装置２０の通信部４０１、第１取得部４０２、画像設定部４０３、画像生成部４０４、登録部４０５、第２取得部４０６、判定部４０７、照合部４０８、画像形成部４０９、記憶部４１１、入力部４１２、表示制御部４１３および表示部４１４は、機能を概念的に示したものであって、このような構成に限定されるものではない。例えば、図５に示す画像形成装置２０で独立した機能部として図示した複数の機能部を、１つの機能部として構成してもよい。一方、図５に示す画像形成装置２０で１つの機能部が有する機能を複数に分割し、複数の機能部として構成するものとしてもよい。
【００７６】
また、第１取得部４０２、画像設定部４０３、画像生成部４０４、登録部４０５、４０６、判定部４０７、照合部４０８および表示制御部４１３の一部または全部は、ソフトウェアであるプログラムではなく、ＦＰＧＡまたはＡＳＩＣ等のハードウェア回路によって実現されてもよい
【００７７】
（通常の印刷処理）
図６は、実施形態に係る画像処理システムでの通常の印刷処理の一例を示すフローチャートである。図７は、実施形態に係るＰＣのプレビュー画面の一例を示す図である。図６および図７を参照しながら、本実施形態に係る画像処理システム１での通常の印刷処理の流れを説明する。
【００７８】
＜ステップＳ１１＞
ＰＣ１０の画像生成部３０３は、画像形成装置２０での印刷対象となる印刷データから、図７に示すプレビュー画面１０００でプレビュー表示するためのプレビュー画像を生成する。そして、ＰＣ１０の表示制御部３１３は、表示部３１４に表示されているプレビュー画面１０００のプレビュー表示領域１００１に、画像生成部３０３により生成されたプレビュー画像を表示させる。そして、ステップＳ１２へ移行する。
【００７９】
＜ステップＳ１２＞
ユーザは、プレビュー画面１０００に表示されたプレビュー画像を確認した後、入力部３１２を介して印刷実行操作を行う。すると、ＰＣ１０の通信部３０１は、プレビュー画面１０００に表示されているプレビュー画像に対応する印刷データを、ネットワークＮを介して、画像形成装置２０へ送信する。そして、ステップＳ１３へ移行する。
【００８０】
＜ステップＳ１３＞
ＰＣ１０の画像形成部４０９は、ＰＣ１０から通信部４０１を介して印刷データを受信すると、当該印刷データから印刷出力するための印刷画像を生成する。そして、ステップＳ１４へ移行する。
【００８１】
＜ステップＳ１４＞
画像形成部４０９は、生成した印刷画像を印刷出力（印刷実行）する。以上で、画像処理システム１での通常の印刷処理を終了する。
【００８２】
（パスワード設定・プレビュー画像登録処理）
図８は、実施形態に係る画像処理システムでのパスワード設定・プレビュー画像登録処理の一例を示すフローチャートである。図９は、画像管理テーブルの一例を示す図である。図８および図９を参照しながら、本実施形態に係る画像処理システム１でのパスワード設定・プレビュー画像登録処理の流れを説明する。
【００８３】
＜ステップＳ２１＞
ＰＣ１０の画像生成部３０３は、画像形成装置２０での印刷対象となる印刷データから、図７に示すプレビュー画面１０００でプレビュー表示するためのプレビュー画像を生成する。そして、ＰＣ１０の表示制御部３１３は、表示部３１４に表示されているプレビュー画面１０００のプレビュー表示領域１００１に、画像生成部３０３により生成されたプレビュー画像を表示させる。この際、表示制御部３１３は、プレビュー画像にＩＲ画像が含まれる場合、例えば、当該ＩＲ画像を除いた画像を、プレビュー表示領域１００１に表示させるものとする。また、表示制御部３１３は、プレビュー画像にＩＲ画像が含まれる場合、画像形成装置２０側でＩＲ画像を表示させるために必要なＩＤおよびパスワードを設定入力するための、図７に示すＩＤ設定領域１００２、パスワード設定領域１００３および決定ボタン１００４を表示させる。なお、ＩＤ設定領域１００２、パスワード設定領域１００３および決定ボタン１００４は、元々表示させているものとし、プレビュー画像にＩＲ画像が含まれていない場合は、グレーアウト等の表示態様によって入力操作が無効とするようにしていてもよい。
【００８４】
また、プレビュー画面１０００のキャンセルボタン１００５が押下された場合には、ＩＤおよびパスワード設定等がキャンセルされる。そして、ステップＳ２２へ移行する。
【００８５】
＜ステップＳ２２＞
ユーザは、入力部３１２を介して、プレビュー画面１０００におけるＩＤ設定領域１００２に、所望するＩＤを入力し、パスワード設定領域１００３に、所望するパスワードを入力して、決定ボタン１００４を押下操作する。ＰＣ１０のパスワード設定部３０２は、ＩＤ設定領域１００２およびパスワード設定領域１００３にそれぞれ入力されたＩＤおよびパスワードを確定（設定）する。なお、この場合、パスワード設定部３０２は、確定（設定）したＩＤおよびパスワードを、記憶部３１１に記憶させるものとしてもよい。そして、ステップＳ２３へ移行する。
【００８６】
＜ステップＳ２３＞
パスワード設定部３０２は、確定（設定）したＩＤおよびパスワード、ならびに、プレビュー表示領域１００１に表示されているプレビュー画像に対応する印刷データを、通信部３０１を介して画像形成装置２０へ送信する。そして、ステップＳ２４へ移行する。
【００８７】
＜ステップＳ２４＞
画像形成装置２０の第１取得部４０２は、ＰＣ１０で設定されたＩＲトナーによる描画情報に基づく画像（ＩＲ画像）（第１画像、特殊画像）をプレビューで表示させるためのＩＤおよびパスワード、ならびに印刷データを、通信部４０１を介して取得する。画像形成装置２０の画像生成部４０４は、第１取得部４０２により取得された印刷データから、後述するプレビュー画面１６００にてプレビュー表示するためのプレビュー画像を生成する。そして、ステップＳ２５へ移行する。
【００８８】
＜ステップＳ２５＞
画像形成装置２０の登録部４０５は、第１取得部４０２により取得されたＩＤおよびパスワードと、ならびに画像生成部４０４により生成されたプレビュー画像とを関連付けて、記憶部４１１に記憶された図９に示す画像管理テーブル２００１（関連付け情報の一例）に登録する。これによって、ＩＲ画像を含むプレビュー画像が、ＩＤおよびパスワードに関連付けられて蓄積されることになる。図９に示す画像管理テーブル２００１には、例えば、プレビュー画像「ＤＤＡＡＥＥ３３４４・・・」が、ＩＤ「Ｃ７８９６」およびパスワード「Ｔ８３Ｈ」に関連付けて登録されている。
【００８９】
なお、図９に示す画像管理テーブル２００１では、プレビュー画像のデータが、ＩＤおよびパスワードに関連付けられて直接テーブルに登録されているものとしているが、これに限定されない。例えば、画像管理テーブル２００１において、プレビュー画像のデータの代わりに、プレビュー画像が格納される記憶部４１１の記憶領域を示すパスが登録されるものとしてもよい。
【００９０】
また、図９に示す画像管理テーブル２００１は、テーブル形式の情報としているが、これに限定されるものではなく、テーブルの各カラムの値が互いに関連付けて管理することができれば、どのような形式の情報であってもよい
【００９１】
以上で、画像処理システム１でのパスワード設定・プレビュー画像登録処理を終了する。
【００９２】
なお、ステップＳ２２で、プレビュー画面１０００においてＩＤおよびパスワードを設定入力した後、決定ボタン１００４を押下した処理を示したが、ＩＤおよびパスワードを入力しない状態で決定ボタン１００４を押下することができるものとしてもよい。すなわち、この場合、パスワード設定部３０２は、プレビュー表示領域１００１に表示されているプレビュー画像に対応する印刷データのみを、通信部３０１を介して画像形成装置２０へ送信する。そして、画像形成装置２０の第１取得部４０２は、印刷データのみを、通信部４０１を介して取得し、登録部４０５は、画像生成部４０４により生成されたプレビュー画像を、記憶部４１１に記憶された図９に示す画像管理テーブル２００１に登録するものとすればよい。
【００９３】
（プレビュー表示処理）
図１０は、実施形態に係る画像形成装置でのプレビュー表示処理の一例を示すフローチャートである。図１１は、実施形態に係る画像形成装置のプレビュー対象のファイルの選択画面の一例を示す図である。図１２は、実施形態に係る画像形成装置のプレビュー画面の一例を示す図である。図１３は、実施形態に係る画像形成装置のプレビュー画面の一例を示す図である。図１０〜図１３を参照しながら、本実施形態に係る画像形成装置２０でのプレビュー表示処理の流れを説明する。
【００９４】
＜ステップＳ３１＞
画像形成装置２０の表示制御部４１３は、ユーザの入力部４１２への操作入力に応じて、図１１に示す選択画面１５００を表示部４１４に表示させる。
【００９５】
選択画面１５００は、図１１に示すようにリスト表示領域１５０１と、削除ボタン１５０２と、プレビューボタン１５０３と、設定変更ボタン１５０４と、印刷実行ボタン１５０５と、を含む。リスト表示領域１５０１は、画像形成装置２０に受信されている印刷データのジョブの一覧を表示する領域であり、ユーザはこれらの一覧からプレビュー表示または印刷実行の対象とするジョブを選択することができる。削除ボタン１５０２は、リスト表示領域１５０１に表示されているジョブの一覧から選択されたジョブを削除するためのボタンである。プレビューボタン１５０３は、リスト表示領域１５０１に表示されているジョブの一覧から選択されたジョブに対応するプレビュー画像を、図１２等に示すプレビュー画面１６００に表示させるためのボタンである。設定変更ボタン１５０４は、リスト表示領域１５０１に表示されているジョブの一覧から選択されたジョブについて印刷設定等の設定を行う画面へ遷移するためのボタンである。印刷実行ボタン１５０５は、リスト表示領域１５０１に表示されているジョブの一覧から選択されたジョブに対応する印刷データについて印刷を実行するためのボタンである。
【００９６】
ユーザは、入力部４１２への操作を介して、選択画面１５００のリスト表示領域１５０１に表示された印刷データのジョブの一覧から、プレビュー表示を要求するジョブを選択し、プレビューボタン１５０３を押下する。そして、画像形成装置２０の表示制御部４１３は、図１２に示すプレビュー画面１６００を表示部４１４に表示させる。
【００９７】
プレビュー画面１６００は、図１２に示すように、プレビュー表示領域１６０１と、ＩＤ入力領域１６０２と、パスワード入力領域１６０３と、表示ボタン１６０４と、編集ボタン１６０５と、を含む。プレビュー表示領域１６０１は、プレビュー画像を表示する領域である。ＩＤ入力領域１６０２は、プレビュー画像に含まれるＩＲ画像を表示させるためのＩＤを入力する領域である。パスワード入力領域１６０３は、プレビュー画像に含まれるＩＲ画像を表示させるためのパスワードを入力する領域である。表示ボタン１６０４は、プレビュー画像に含まれるＩＲ画像を表示させるためのボタンである。編集ボタン１６０５は、プレビュー画像を編集（調整）するためのボタンである。チェックボックス１６０６は、プレビュー画像にＩＲ画像を表示させたい場合にチェックするためのチェックボックスである。ただし、この段階では、ＩＤ入力領域１６０２、パスワード入力領域１６０３、表示ボタン１６０４および編集ボタン１６０５は表示されていないものとする。
【００９８】
そして、ステップＳ３２へ移行する。
【００９９】
＜ステップＳ３２＞
画像形成装置２０の第２取得部４０６は、ユーザにより選択されたジョブに対応するプレビュー画像を、記憶部４１１に記憶された画像管理テーブル２００１において検索して取得する。画像形成装置２０の表示制御部４１３は、第２取得部４０６により取得されたプレビュー画像のうちＩＲ画像以外の画像を、プレビュー画面１６００のプレビュー表示領域１６０１に表示させる。すなわち、この状態では、ＩＲ画像以外の通常のカラートナー画像のみが表示されることになる。そして、ステップＳ３３へ移行する。
【０１００】
＜ステップＳ３３＞
ユーザにより、入力部４１２を介して、プレビュー画面１６００のチェックボックス１６０６に対してチェック操作された場合、画像形成装置２０の判定部４０７は、画像管理テーブル２００１を参照し、第２取得部４０６により取得されたプレビュー画像に対応するＩＤおよびパスワードが存在するか否かを判定する。ＩＤおよびパスワードが存在する場合（ステップＳ３３：Ｙｅｓ）、表示制御部４１３は、プレビュー画面１６００に、図１２に示すＩＤ入力領域１６０２、パスワード入力領域１６０３、表示ボタン１６０４および編集ボタン１６０５を表示させ、ステップＳ３４へ移行する。一方、ＩＤおよびパスワードが存在しない場合（ステップＳ３３：Ｎｏ）、表示制御部４１３は、プレビュー画面１６００に、図１２に示すＩＤ入力領域１６０２、パスワード入力領域１６０３、表示ボタン１６０４および編集ボタン１６０５を表示させないものとし、ステップＳ３６へ移行する。
【０１０１】
なお、プレビュー画面１６００においてＩＤ入力領域１６０２、パスワード入力領域１６０３、表示ボタン１６０４および編集ボタン１６０５は、元々表示させているものとし、画像管理テーブル２００１に第２取得部４０６により取得されたプレビュー画像に対応するＩＤおよびパスワードが存在しない場合、グレーアウト等の表示態様によって入力操作が無効とするようにしていてもよい。
【０１０２】
＜ステップＳ３４＞
ユーザは、入力部４１２を介して、プレビュー画面１６００におけるＩＤ入力領域１６０２にＩＤを入力し、パスワード入力領域１６０３にパスワードを入力して、決定ボタン１００４を押下操作する。そして、ステップＳ３５へ移行する。
【０１０３】
＜ステップＳ３５＞
画像形成装置２０の照合部４０８は、画像管理テーブル２００１を参照し、プレビュー画面１６００にてユーザにより入力されたＩＤおよびパスワード（第２認証情報の一例）と、第２取得部４０６により取得されたプレビュー画像に対応するＩＤおよびパスワード（第１認証情報の一例）とを照合する。双方のＩＤおよびパスワードがそれぞれ一致する場合（ステップＳ３５：Ｙｅｓ）、ステップＳ３６へ移行し、少なくともいずれかが一致しない場合（ステップＳ３５：Ｎｏ）、プレビュー表示処理を終了する。
【０１０４】
＜ステップＳ３６＞
表示制御部４１３は、第２取得部４０６により取得されたプレビュー画像のうちＩＲ画像を、既にプレビュー表示領域１６０１に表示されているＩＲ画像以外の画像（第２画像）に重畳させて表示させる。例えば、図１３に示すように、表示制御部４１３は、プレビュー表示領域１６０１において、既に表示されている画像に対して、ＩＲ描画部ＩＲ１を重畳させて表示させる。これによって、プレビュー画面１６００で入力したＩＤおよびパスワードが、予め登録されているＩＤおよびパスワードとそれぞれ一致した場合に、ＩＲ画像を表示させることができるので、ＩＤおよびパスワードを知っている者のみがＩＲ画像を閲覧することができ、ＩＲ画像に対するセキュリティを向上させることができる。そして、プレビュー表示処理を終了する。
【０１０５】
（プレビュー画像編集処理）
図１４は、実施形態に係る画像形成装置でのプレビュー画像編集処理の一例を示すフローチャートである。図１５は、実施形態に係る画像形成装置のＩＲ調整画面の一例を示す図である。図１６は、実施形態に係る画像形成装置のＩＲ色設定画面の一例を示す図である。図１４〜図１６を参照しながら、本実施形態に係る画像形成装置２０でのプレビュー画像編集処理の流れを説明する。
【０１０６】
＜ステップＳ４１＞
上述の図１０に示すプレビュー表示処理により、プレビュー表示領域１６０１にＩＲ画像を含むプレビュー画像が表示されている状態で、ユーザは、入力部４１２を介して、プレビュー画面１６００の編集ボタン１６０５の押下（プレビュー画像に対する編集選択）をする。そして、ステップＳ４２へ移行する。
【０１０７】
＜ステップＳ４２＞
画像形成装置２０の表示制御部４１３は、図１５に示すＩＲ調整画面１７００を表示部４１４に表示させる。
【０１０８】
ＩＲ調整画面１７００は、図１５に示すように、調整内容表示領域１７０１と、チェックボックス１７０２と、Ｃ調整部１７０３Ｃと、Ｍ調整部１７０３Ｍと、Ｙ調整部１７０３Ｙと、ＩＲ調整部１７０３ＩＲと、ＩＲ色ボタン１７０４と、適用ボタン１７０５と、を含む。調整内容表示領域１７０１は、プレビュー画像を表示する領域であり、Ｃ調整部１７０３Ｃ等の調整によって色の濃度が変更されて表示される。チェックボックス１７０２は、調整内容表示領域１７０１に表示されているプレビュー画像にＩＲ画像を重畳して表示させるか否かを切り替えるためのチェックボックスである。Ｃ調整部１７０３Ｃは、プレビュー画像のうちのカラー画像を含む背景のＣ（シアン）成分の濃淡を調整するためのスライダーである。Ｍ調整部１７０３Ｍは、プレビュー画像のうちのカラー画像を含む背景のＭ（マゼンタ）成分の濃淡を調整するためのスライダーである。Ｙ調整部１７０３Ｙは、プレビュー画像のうちのカラー画像を含む背景のＹ（イエロー）成分の濃淡を調整するためのスライダーである。ＩＲ調整部１７０３ＩＲは、プレビュー画像のうちのＩＲ画像の色の濃淡を調整するためのスライダーである。ＩＲ色ボタン１７０４は、ＩＲ画像の色を決定するための図１６に示すＩＲ色設定画面１８００へ遷移させるためのボタンである。適用ボタン１７０５は、Ｃ調整部１７０３Ｃ、Ｍ調整部１７０３Ｍ、Ｙ調整部１７０３Ｙ、およびＩＲ調整部１７０３ＩＲによる各色の調整後の状態で、プレビュー画像を再生成するためのボタンである。なお、Ｃ調整部１７０３Ｃ、Ｍ調整部１７０３Ｍ、およびＹ調整部１７０３ＹによりＣ（シアン）、Ｍ（マゼンタ）およびＹ（イエロー）の各成分の濃淡が調整できるようになっているが、さらに、Ｋ（ブラック）の成分の濃淡が調整できるスライダーがあってもよい。
【０１０９】
また、ユーザにより入力部４１２を介してＩＲ色ボタン１７０４が押下されると、表示制御部４１３は、図１６に示すＩＲ色設定画面１８００を表示部４１４に表示させる。
【０１１０】
ＩＲ色設定画面１８００は、プレビュー表示がＩＲ画像を視認することができるように、ＩＲ画像の色を設定するための画面である。ＩＲ色設定画面１８００は、色相環選択部１８０１と、選択色表示領域１８０２と、調整ボタン１８０３と、適用ボタン１８０４と、を含む。色相環選択部１８０１は、色相環の形態で表示した、ＩＲ画像の色を選択するための領域であり、ユーザは、色相環に描画されたいずれかの色を選択することによって、ＩＲ画像の色を決めることができる。選択色表示領域１８０２は、色相環選択部１８０１で選択された色を表示する表示領域である。調整ボタン１８０３は、ＩＲ調整画面１７００へ遷移するためのボタンである。適用ボタン１８０４は、色相環選択部１８０１で選択された色をＩＲ画像の色として決定するためのボタンであり、決定された色は、調整内容表示領域１７０１に表示されているＩＲ描画部ＩＲ２の色に反映される。したがって、上述のＩＲ調整画面１７００におけるＩＲ調整部１７０３ＩＲにより濃淡が調整されるＩＲ描画部ＩＲ２の色は、ＩＲ色設定画面１８００で選択および決定された色となる。
【０１１１】
画像形成装置２０の画像設定部４０３は、ユーザによる入力部４１２を介した、Ｃ調整部１７０３Ｃ、Ｍ調整部１７０３Ｍ、Ｙ調整部１７０３Ｙ、ＩＲ調整部１７０３ＩＲ、および色相環選択部１８０１に対する調整および選択操作により、調整内容表示領域１７０１に表示されたプレビュー画像の各色の濃淡等を設定する。そして、ユーザにより入力部４１２を介して、適用ボタン１７０５が押下操作されると、画像形成装置２０の画像生成部４０４は、調整内容表示領域１７０１に表示された調整後（編集後）のプレビュー表示を、新たなプレビュー画像として再生成する。これによって、プレビュー画像において、ＩＲ画像が背景（背景色またはカラー画像）の画像に対して視認性を上げたプレビュー表示とすることができる。そして、ステップＳ４４へ移行する。
【０１１２】
＜ステップＳ４４＞
画像形成装置２０の登録部４０５は、図１０でＩＲ画像を表示するために入力および照合されたＩＤおよびパスワードに対応するプレビュー画像として、画像生成部４０４により色の調整後に再生成されたプレビュー画像を、画像管理テーブル２００１に対して更新登録する。そして、プレビュー画像編集処理を終了する。
【０１１３】
以上のように、本実施形態に係る画像処理システムでは、ＩＲトナーによる描画情報を含む印刷データに基づくプレビュー画像を表示させる場合、ＩＲトナー画像の色の種類および濃淡を自由に調整することが可能である。したがって、特殊な消費材であるＩＲトナーで印刷される画像が、背景（背景色またはカラー画像）となる画像に対して視認性を上げたプレビュー表示が可能となる。さらに、ＩＲ画像だけではなく、背景（背景色またはカラー画像）の色の濃淡についても調整することが可能であるので、トナー画像がさらに背景に対してより判別性高くプレビュー表示が可能となり、ＩＲ画像について、より視認性を上げたプレビュー表示が可能となる。
【０１１４】
また、プレビュー画面１６００で入力したＩＤおよびパスワードが、予め登録されているＩＤおよびパスワードとそれぞれ一致した場合に、ＩＲ画像を表示させるものとしている。これによって、ＩＤおよびパスワードを知っている者のみがＩＲ画像を閲覧することができ、ＩＲ画像に対するセキュリティを向上させることができる。
【０１１５】
なお、画像形成装置２０の画像設定部４０３、調整後のプレビュー画像を再生成する画像生成部４０４、調整後のプレビュー画像を更新登録する登録部４０５、第２取得部４０６、判定部４０７、照合部４０８、選択画面１５００、プレビュー画面１６００、ＩＲ調整画面１７００およびＩＲ色設定画面１８００を表示させる表示制御部４１３の機能のうち少なくともいずれかは、ＰＣ１０が有するものとしてもよい。
【０１１６】
なお、上述の実施形態の各機能は、一または複数の処理回路によって実現することが可能である。ここで、「処理回路」とは、電子回路により実装されるプロセッサのようにソフトウェアによって各機能を実行するようプログラミングされたプロセッサや、上述した各機能を実行するよう設計されたＡＳＩＣ、ＤＳＰ（Ｄｉｇｉｔａｌ  Ｓｉｇｎａｌ  Ｐｒｏｃｅｓｓｏｒ）、ＦＰＧＡ、ＳＯＣ（Ｓｙｓｔｅｍ  ｏｎ  ａ  ｃｈｉｐ)、ＧＰＵ（Ｇｒａｐｈｉｃｓ  Ｐｒｏｃｅｓｓｉｎｇ  Ｕｎｉｔ）や従来の回路モジュール等のデバイスを含むものとする。
【０１１７】
なお、上述の実施形態において、ＰＣ１０および画像形成装置２０の各機能部の少なくともいずれかがプログラムの実行によって実現される場合、そのプログラムは、ＲＯＭ等に予め組み込まれて提供される。また、上述の実施形態において、ＰＣ１０および画像形成装置２０で実行されるプログラムは、インストール可能な形式または実行可能な形式のファイルでＣＤ−ＲＯＭ（Ｃｏｍｐａｃｔ  Ｄｉｓｃ  Ｒｅａｄ  Ｏｎｌｙ  Ｍｅｍｏｒｙ）、フレキシブルディスク（ＦＤ）、ＣＤ−Ｒ（Ｃｏｍｐａｃｔ  Ｄｉｓｋ−Ｒｅｃｏｒｄａｂｌｅ）、またはＤＶＤ（Ｄｉｇｉｔａｌ  Ｖｅｒｓａｔｉｌｅ  Ｄｉｓｃ）等のコンピュータで読み取り可能な記録媒体に記録して提供するように構成してもよい。また、上述の実施形態において、ＰＣ１０および画像形成装置２０で実行されるプログラムを、インターネット等のネットワークに接続されたコンピュータ上に格納し、ネットワーク経由でダウンロードさせることにより提供するように構成してもよい。また、上述の実施形態において、ＰＣ１０および画像形成装置２０で実行されるプログラムを、インターネット等のネットワーク経由で提供または配布するように構成してもよい。また、上述の実施形態において、ＰＣ１０および画像形成装置２０で実行されるプログラムは、上述した各機能部のうち少なくともいずれかを含むモジュール構成となっており、実際のハードウェアとしてはＣＰＵが上述の記憶装置からプログラムを読み出して実行することにより、上述の各機能部が主記憶装置上にロードされて生成されるようになっている。
【符号の説明】
【０１１８】
１  画像処理システム
１０、１０ａ、１０ｂ  ＰＣ
２０  画像形成装置
１０１  ＣＰＵ
１０２  ＲＯＭ
１０３  ＲＡＭ
１０４  通信Ｉ／Ｆ
１０５  入出力Ｉ／Ｆ
１０６  入力装置
１０７  表示装置
１０８  補助記憶装置
１０９  バス
１５１  アプリケーション
１５２  プリンタドライバ
１５３  プレビューアプリケーション
２０１  ＣＰＵ
２０２  ＭＥＭ−Ｐ
２０３  ＮＢ
２０４ａ  ＳＢ
２０４ｂ  ネットワークＩ／Ｆ
２０４ｃ  ＵＳＢ  Ｉ／Ｆ
２０４ｄ  セントロニクスＩ／Ｆ
２０５  ＡＧＰ
２０６  ＡＳＩＣ
２０７  ＭＥＭ−Ｃ
２０８  補助記憶装置
２１０  操作表示部
２２０  ＦＣＵ
２３１  プロッタ
２３２  スキャナ
３０１  通信部
３０２  パスワード設定部
３０３  画像生成部
３１１  記憶部
３１２  入力部
３１３  表示制御部
３１４  表示部
４０１  通信部
４０２  第１取得部
４０３  画像設定部
４０４  画像生成部
４０５  登録部
４０６  第２取得部
４０７  判定部
４０８  照合部
４０９  画像形成部
４１１  記憶部
４１２  入力部
４１３  表示制御部
４１４  表示部
１０００  プレビュー画面
１００１  プレビュー表示領域
１００２  ＩＤ設定領域
１００３  パスワード設定領域
１００４  決定ボタン
１００５  キャンセルボタン
１５００  選択画面
１５０１  リスト表示領域
１５０２  削除ボタン
１５０３  プレビューボタン
１５０４  設定変更ボタン
１５０５  印刷実行ボタン
１６００  プレビュー画面
１６０１  プレビュー表示領域
１６０２  ＩＤ入力領域
１６０３  パスワード入力領域
１６０４  表示ボタン
１６０５  編集ボタン
１６０６  チェックボックス
１７００  ＩＲ調整画面
１７０１  調整内容表示領域
１７０２  チェックボックス
１７０３Ｃ  Ｃ調整部
１７０３Ｍ  Ｍ調整部
１７０３Ｙ  Ｙ調整部
１７０３ＩＲ  ＩＲ調整部
１７０４  ＩＲ色ボタン
１７０５  適用ボタン
１８００  ＩＲ色設定画面
１８０１  色相環選択部
１８０２  選択色表示領域
１８０３  調整ボタン
１８０４  適用ボタン
２００１  画像管理テーブル
ＩＲ１、ＩＲ２  ＩＲ描画部
Ｎ  ネットワーク
【先行技術文献】
【特許文献】
【０１１９】
【特許文献１】特開２０１６−０６２１４３号公報
【図１】
2020082585.tif 000003
【図２】
2020082585.tif 000004
【図３】
2020082585.tif 000005
【図４】
2020082585.tif 000006
【図５】
2020082585.tif 000007
【図６】
2020082585.tif 000008
【図７】
2020082585.tif 000009
【図８】
2020082585.tif 000010
【図９】
2020082585.tif 000011
【図１０】
2020082585.tif 000012
【図１１】
2020082585.tif 000013
【図１２】
2020082585.tif 000014
【図１３】
2020082585.tif 000015
【図１４】
2020082585.tif 000016
【図１５】
2020082585.tif 000017
【図１６】
2020082585.tif 000018